(57)【要約】  売価管理装置は、取得部と、第２受信部と、更新部と、確認部と、表示変更部とを備える。取得部は、商品の販売に関する情報を管理するＰＯＳサーバから売価の変更に関する売価変更情報を受信する。第２受信部は、顧客が使用する携帯端末から顧客が入店した店において購入予定の商品を示す商品識別情報を受信する。更新部は、商品識別情報に基づき、購入予定の商品のリストである購入商品リストを生成又は更新する。確認部は、売価変更情報と、購入商品リストとに基づき、購入商品リストの商品に対する売価の変更要否を確認する。表示変更部は、上記の変更要否に基づき、携帯端末が表示する購入商品リストの商品に対する売価の表示を変更する。
2020174881.tif 000002
【特許請求の範囲】
【請求項１】
売価の変更に関する売価変更情報を取得する取得部と、
顧客が使用する携帯端末から前記顧客が入店した店において購入予定の商品を示す商品識別情報を受信する受信部と、
前記売価変更情報と、前記商品のリストである購入商品リストとに基づき、前記購入商品リストの商品に対する売価の変更要否を判定する判定部と、
前記売価の変更が必要な場合に、前記携帯端末が表示する前記購入商品リストの商品に対する売価の表示を変更させる表示変更部と、
を有する売価管理サーバ。
【請求項２】
前記商品識別情報に基づき、前記商品のリストである購入商品リストを生成又は更新する更新部をさらに備える、請求項１に記載の売価管理サーバ。
【請求項３】
前記表示変更部は、前記購入商品リストの更新があった場合であって、前記売価の変更が必要な場合に、当該売価の変更を、遅くとも、前記顧客が前記店において精算を行う前に、前記売価の表示に反映させる、請求項２に記載の売価管理サーバ。
【請求項４】
前記表示変更部は、前記購入商品リストの更新があった場合であって、前記売価の変更が必要な場合に、当該売価の変更を、前記売価の表示に即時に反映させる、請求項３に記載の売価管理サーバ。
【請求項５】
前記表示変更部は、前記購入商品リストの更新があった場合であって、前記売価の変更が必要な場合に、当該売価の変更を、前記携帯端末への所定の入力を検知した場合に、前記売価の表示に反映させる、請求項３に記載の売価管理サーバ。
【請求項６】
前記売価変更情報は、商品の数を条件とした値引又は割引、商品の組み合わせを条件とした値引又は割引、合計額を条件とした値引又は割引、特定の種類の商品に対する値引又は割引、前記顧客が会員であるか否か又は当該会員のランクを条件とした値引又は割引の少なくともいずれか一つを示す、請求項１〜５のいずれか一項に記載の売価管理サーバ。
【請求項７】
前記表示変更部は、前記購入商品リストの更新があった場合であって、前記売価の変更が必要な場合に、当該売価の変更が生じた額を前記携帯端末に表示させる、請求項１〜６のいずれか一項に記載の売価管理サーバ。
【請求項８】
前記売価変更情報は、合計額を条件とした値引又は割引に関する情報を含み、
前記表示変更部は、前記値引又は割引が適用されるまでに必要な合計額と前記購入商品リストの商品に対する売価との差額を前記携帯端末に表示させる、請求項１〜７のいずれか一項に記載の売価管理サーバ。
【請求項９】
顧客が使用する携帯端末と、
前記顧客が入店した店において購入予定の商品のリストである購入商品リストの売価を管理する売価管理サーバと、を有する売価管理システムであって、
前記携帯端末は、
前記顧客が入店した店において購入予定の商品を示す商品識別情報を取得する商品識別情報取得部と、
前記商品識別情報を前記売価管理サーバへ送信する商品識別情報送信部と、
前記売価管理サーバから受信する表示情報に基づき表示部の表示を更新する表示制御部と、を有し、
前記売価管理サーバは、
売価の変更に関する売価変更情報を取得する取得部と、
前記携帯端末から前記商品識別情報を受信する受信部と、
前記売価変更情報と、前記購入商品リストとに基づき、前記購入商品リストの商品に対する売価の変更要否を判定する判定部と、
前記売価の変更が必要な場合に、前記携帯端末が表示する前記購入商品リストの商品に対する売価の表示を変更させるための前記表示情報を前記携帯端末に送信する表示変更部と、
を有する売価管理システム。
【請求項１０】
売価管理サーバが実行する制御方法であって、
売価の変更に関する売価変更情報を取得し、
顧客が使用する携帯端末から前記顧客が入店した店において購入予定の商品を示す商品識別情報を受信し、
前記売価変更情報と、前記商品のリストである購入商品リストとに基づき、前記購入商品リストの商品に対する売価の変更要否を判定し、
前記売価の変更が必要な場合に、前記携帯端末が表示する前記購入商品リストの商品に対する売価の表示を変更させる、制御方法。
【請求項１１】
コンピュータが実行するプログラムが格納された記憶媒体であって、
売価の変更に関する売価変更情報を取得する取得部と、
顧客が使用する携帯端末から前記顧客が入店した店において購入予定の商品を示す商品識別情報を受信する受信部と、
前記売価変更情報と、前記商品のリストである購入商品リストとに基づき、前記購入商品リストの商品に対する売価の変更要否を判定する判定部と、
前記売価の変更が必要な場合に、前記携帯端末が表示する前記購入商品リストの商品に対する売価の表示を変更させる表示変更部
として前記コンピュータを機能させるプログラムが格納された記憶媒体。
【発明の詳細な説明】
【技術分野】
【０００１】
本発明は、売価を管理する売価管理装置、売価管理システム、制御方法及び記憶媒体の技術分野に関する。
【背景技術】
【０００２】
来店した顧客が商品を購入するための商品販売システムとして、顧客が所有するスマートフォンなどの携帯端末を用いて、顧客が商品のバーコードを読み取って商品登録を行い、精算を行うシステムが知られている。例えば、特許文献１には、購入対象となる商品の商品情報を取得し、取得した全ての商品情報を含む精算情報を管理サーバに送信する携帯端末と、精算情報に含まれる商品情報に基づいて、各商品名を価格の高い順に列記したソート明細情報を生成及び出力する管理サーバとを備えたセルフショッピングシステムが開示されている。
【先行技術文献】
【特許文献】
【０００３】
【特許文献１】特開２０１３−４１３５４号公報
【発明の概要】
【発明が解決しようとする課題】
【０００４】
商品の売価は、セット販売などの所定の条件に応じて変更されることがある。このような商品の売価が生じた場合に、特許文献１に記載のセルフショッピングシステム等では、顧客は、精算時になるまで正しい売価を知ることができないという問題がある。【０００５】
本発明の目的は、上述した課題を鑑み、売価を的確に顧客の携帯端末に表示することが可能な売価管理装置、売価管理システム、制御方法及び記憶媒体を提供することを主な課題とする。
【課題を解決するための手段】
【０００６】
売価管理装置の一の態様は、売価管理サーバであって、売価の変更に関する売価変更情報を取得する取得部と、顧客が使用する携帯端末から前記顧客が入店した店において購入予定の商品を示す商品識別情報を受信する受信部と、前記売価変更情報と、前記商品のリストである購入商品リストとに基づき、前記購入商品リストの商品に対する売価の変更要否を判定する判定部と、前記売価の変更が必要な場合に、前記携帯端末が表示する前記購入商品リストの商品に対する売価の表示を変更させる表示変更部と、を有する。【０００７】
売価管理システムの一の態様は、顧客が使用する携帯端末と、前記顧客が入店した店において購入予定の商品のリストである購入商品リストの売価を管理する売価管理サーバと、を有する売価管理システムであって、前記携帯端末は、前記顧客が入店した店において購入予定の商品を示す商品識別情報を取得する商品識別情報取得部と、前記商品識別情報を前記売価管理サーバへ送信する商品識別情報送信部と、前記売価管理サーバから受信する表示情報に基づき表示部の表示を更新する表示制御部と、を有し、前記売価管理サーバは、売価の変更に関する売価変更情報を取得する取得部と、前記携帯端末から前記商品識別情報を受信する受信部と、前記売価変更情報と、前記購入商品リストとに基づき、前記購入商品リストの商品に対する売価の変更要否を判定する判定部と、前記売価の変更が必要な場合に、前記携帯端末が表示する前記購入商品リストの商品に対する売価の表示を変更させるための前記表示情報を前記携帯端末に送信する表示変更部と、を有する。【０００８】
制御方法の一の態様は、売価管理サーバが実行する制御方法であって、売価の変更に関する売価変更情報を取得し、顧客が使用する携帯端末から前記顧客が入店した店において購入予定の商品を示す商品識別情報を受信し、前記売価変更情報と、前記商品のリストである購入商品リストとに基づき、前記購入商品リストの商品に対する売価の変更要否を判定し、前記売価の変更が必要な場合に、前記携帯端末が表示する前記購入商品リストの商品に対する売価の表示を変更させる。【０００９】
記憶媒体の一の態様は、コンピュータが実行するプログラムが格納された記憶媒体であって、売価の変更に関する売価変更情報を取得する取得部と、顧客が使用する携帯端末から前記顧客が入店した店において購入予定の商品を示す商品識別情報を受信する受信部と、前記売価変更情報と、前記商品のリストである購入商品リストとに基づき、前記購入商品リストの商品に対する売価の変更要否を判定する判定部と、前記売価の変更が必要な場合に、前記携帯端末が表示する前記購入商品リストの商品に対する売価の表示を変更させる表示変更部として前記コンピュータを機能させるプログラムが格納された記憶媒体である。
【発明の効果】
【００１０】
本発明によれば、購入商品リストの商品に対する売価を、顧客が使用する携帯端末に的確に表示させることができる。
【図面の簡単な説明】
【００１１】
【図１】実施形態に係る売価管理システムの構成を示す。
【図２】ＰＯＳサーバの概略構成を示す。
【図３】売価管理サーバの概略構成を示す。
【図４】携帯端末の概略構成を示す。
【図５】売価変更情報のデータ構造の一例である。
【図６】購入商品リスト画面の表示に関する売価管理サーバ及び携帯端末の機能ブロック図である。
【図７】購入商品リスト画面の表示に関するフローチャートの一例である。
【図８】購入商品リストがいずれの売価変更条件にも該当しない場合の購入商品リスト画面の表示例である。
【図９】図８に示す状態から商品「パン」が購入商品として追加された場合の購入商品リスト画面の表示例である。
【図１０】図８に示す状態から商品「パン」が購入商品として追加された場合の購入商品リスト画面の第２の表示例である。
【図１１】変形例１における購入商品リスト画面の表示例である。
【図１２】図１１においてユーザがディスカウント反映ボタンをタップした直後の購入商品リスト画面の表示例を示す。
【図１３】変形例２における売価管理システムの構成例である。
【発明を実施するための形態】
【００１２】
以下、図面を参照しながら、売価管理装置、売価管理システム、制御方法及びプログラムの実施形態について説明する。
【００１３】
［売価管理システムの構成］
図１は、本実施形態に係る売価管理システム１００の構成を示す。売価管理システム１００は、主に、ＰＯＳサーバ１と、売価管理サーバ２と、携帯端末３と、精算機５とを備える。売価管理システム１００では、携帯端末３を使用する顧客は、商品の販売を行う店８内において商品のバーコード７を読み取ることで、購入予定の商品（「購入商品」とも呼ぶ。）の登録を行い、店８内の精算機５を用いて、又は電子決済により、精算を行う。
【００１４】
ＰＯＳサーバ１は、店８で販売される商品に関する価格、在庫状況などを含む商品情報、店８の売上情報などの種々の販売情報を管理するサーバである。ＰＯＳサーバ１は、売価管理サーバ２及び精算機５とネットワーク等を介して通信可能である。なお、ＰＯＳサーバ１は、店８を含む系列店舗の販売情報を一括して管理するものであってもよく、店舗毎に存在し、店８の販売情報のみを管理するものであってもよい。
【００１５】
売価管理サーバ２は、携帯端末３の表示制御を行うサーバ装置であり、携帯端末３及びＰＯＳサーバ１とネットワーク等を介して通信可能となっている。売価管理サーバ２は、携帯端末３の表示制御に必要な情報をＰＯＳサーバ１から取得し、記憶している。売価管理サーバ２は、携帯端末３が各種画面を表示するための表示情報を携帯端末３に送信する。上述の各種画面には、携帯端末３がバーコード７を読み取ることで登録された購入商品のリスト（「購入商品リスト」とも呼ぶ。）を、売価と共に表示する画面（「購入商品リスト画面」とも呼ぶ。）が含まれる。
【００１６】
なお、売価管理サーバ２は、複数のサーバ装置により構成されてもよい。例えば、売価管理サーバ２は、携帯端末３とのデータ授受などの携帯端末３とのインターフェース動作を主に行うサーバ装置と、ＰＯＳサーバ１から取得する情報及び購入商品リストなどの種々の情報を記憶・管理するサーバ装置とから構成されてもよい。この場合、前者のサーバ装置は、所謂アプリケーションサーバとして機能し、後者のサーバ装置は、所謂データベースサーバとして機能する。この場合、これらのサーバ装置は、それぞれが割り当てられた処理を実行するのに必要な情報の授受を、ネットワーク等を介して行う。
【００１７】
携帯端末３は、店８で買い物を行う顧客が使用する携帯端末であり、商品に付されたバーコード７を読み取る機能、売価管理サーバ２と通信を行うことで購入商品リスト画面などの各種画面を表示する機能などを有する。なお、図１では、説明の便宜上、携帯端末３は１つのみ表示されているが、店８に入店している顧客の数だけ実際には存在している。
【００１８】
精算機５は、顧客が携帯端末３を用いて精算を行うための精算機（所謂セルフ精算機）である。精算機５は、ＰＯＳサーバ１と通信可能であって、精算に必要な種々の情報の授受をＰＯＳサーバ１と行う。
【００１９】
［装置構成］
次に、ＰＯＳサーバ１、売価管理サーバ２、携帯端末３の各構成について図２〜図４を参照して説明する。
【００２０】
図２は、ＰＯＳサーバ１の概略構成を示す。ＰＯＳサーバ１は、主に、記憶部１３と、データ通信を行う通信部１４と、制御部１５とを備える。
【００２１】
記憶部１３は、ハードディスク又はフラッシュメモリといったメモリによって構成される。記憶部１３は、制御部１５が実行するプログラム、及び、制御部１５がプログラムを実行することで所定の処理を実行するのに必要な情報を記憶する。本実施形態では、記憶部１３は、売価変更情報１７と、商品情報ＤＢ（Ｄａｔａｂａｓｅ）１８と、商品の売上に関する情報である売上情報１９とを含んでいる。なお、記憶部１３は、売価変更情報１７、商品情報ＤＢ１８、売上情報１９以外の種々の販売に関する情報を記憶してもよい。
【００２２】
商品情報ＤＢ１８は、店８又は店８を含む系列店舗で取り扱う商品に関する情報のデータベースである。商品情報ＤＢ１８は、例えば、商品の価格、ＪＡＮ（Ｊａｐａｎｅｓｅ  Ａｒｔｉｃｌｅ  Ｎｕｍｂｅｒ）コードなどの商品を識別するための情報（「商品識別情報」とも呼ぶ。）、商品の分類情報、商品の在庫状況などの各種情報を含む。
【００２３】
売価変更情報１７は、売価の変更に関する情報である。図５は、売価変更情報１７のデータ構造の一例である。売価変更情報１７は、分類別割引情報、バンドル割引情報、セット割引情報、合計額割引情報、分類別値引情報、バンドル値引情報、セット値引情報、及び合計額値引情報などの任意の割引情報又は値引情報の少なくとも１つを含んでいる。
【００２４】
分類別割引情報は、特定の分類（例えば冷凍食品等）に属する商品に対する割引の情報であり、例えば、割引の対象となる分類を示す分類情報と割引率とが関連付けられている。バンドル割引情報は、特定の商品を複数個購入した際に付与される割引の情報であり、例えば、割引の対象となる商品（詳しくは商品識別情報）とその個数と割引率とが関連付けられている。セット割引情報は、特定の商品の組合せに対する割引の情報であり、例えば、割引の対象となる商品の組合せと割引率が関連付けられている。合計額割引情報は、購入した商品の合計額が所定金額以上の場合に生じる割引の情報であり、例えば、割引の対象となる合計額と割引率とが関連付けられている。分類別値引情報、バンドル値引情報、セット値引情報、合計額値引情報は、それぞれ、分類別割引情報、バンドル割引情報、セット割引情報、合計額割引情報に対応する値引情報である。
【００２５】
このように、売価変更情報１７は、割引又は値引による売価変更に該当する条件（「売価変更条件」とも呼ぶ。）と、当該変更の度合との組合せを示した情報である。なお、以後では、値引及び割引は、割戻しを含むものとする。
【００２６】
再び図２を参照してＰＯＳサーバ１の構成について説明する。制御部１５は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、ＰＯＳサーバ１内の各構成要素に対して種々の制御を行う。例えば、制御部１５は、通信部１４を介して精算機５と通信を行うことで、精算に関する処理を行い、売上情報１９の更新等を行う。また、制御部１５は、通信部１４を介して売価管理サーバ２と通信を行うことで、売価変更情報１７及び商品情報ＤＢ１８に関する情報を売価管理サーバ２に送信する。
【００２７】
図３は、売価管理サーバ２の概略構成を示す。売価管理サーバ２は、主に、記憶部２３と、通信部２４と、制御部２５とを備える。これらの各要素は、バスライン２０を介して相互に接続されている。
【００２８】
記憶部２３は、ハードディスク又はフラッシュメモリといったメモリによって構成される。記憶部２３は、制御部２５が実行するプログラム、及び、制御部２５がプログラムを実行することで所定の処理を実行するのに必要な情報を記憶する。本実施形態では、記憶部２３は、売価変更情報２７と、商品情報ＤＢ２８と、購入商品リストＤＢ２９とを記憶する。
【００２９】
売価変更情報２７は、売価変更情報１７と同様、値引又は割引に伴う売価の変更に関する情報である。売価変更情報２７は、制御部２５の制御に基づき、ＰＯＳサーバ１が記憶する売価変更情報１７と同期するように定期又は不定期に更新される。商品情報ＤＢ２８は、商品情報ＤＢ１８と同様、商品に関する情報のデータベースである。商品情報ＤＢ２８は、制御部２５の制御に基づき、ＰＯＳサーバ１が記憶する商品情報ＤＢ１８と同期するように定期又は不定期に更新される。
【００３０】
購入商品リストＤＢ２９は、店８において買い物を行っている顧客の携帯端末３毎の購入商品リストのデータベースである。購入商品リストは、例えば、購入予定の商品を示す商品識別情報と、その商品に対する購入予定の個数とを少なくとも含む組合せのリストであり、携帯端末３又は携帯端末３を使用する顧客を識別する情報（「顧客識別情報」とも呼ぶ。）と関連付けられている。そして、購入商品リストは、携帯端末３の操作に基づき行われる購入商品の追加、削除、又は個数変更が発生する度に更新される。
【００３１】
制御部２５は、図示しないＣＰＵ、ＲＯＭ及びＲＡＭなどを備え、売価管理サーバ２内の各構成要素に対して種々の制御を行う。制御部２５が実行する制御については、図６を参照して詳しく説明する。
【００３２】
図４は、携帯端末３の概略構成を示す。携帯端末３は、主に、表示部３１と、入力部３２と、記憶部３３と、通信部３４と、制御部３５と、読取り部３６とを備える。これらの各要素は、バスライン３０を介して相互に接続されている。
【００３３】
表示部３１は、制御部３５の制御に基づき、購入商品リスト画面などの各種情報の表示を行う。入力部３２は、ユーザの入力を受け付けるインターフェースであり、例えば、タッチパネル、ボタン、音声入力装置などが該当する。
【００３４】
記憶部３３は、ハードディスク又はフラッシュメモリといったメモリによって構成される。記憶部３３は、制御部３５が実行するプログラム、及び、制御部３５がプログラムを実行することで所定の処理を実行するのに必要な情報を記憶する。例えば、記憶部３３には、店８において買い物を行う際に起動され、購入商品リスト画面などの種々の画面の表示を制御するための専用のアプリケーションプログラムが記憶されている。
【００３５】
制御部３５は、図示しないＣＰＵ、ＲＯＭ及びＲＡＭなどを備え、携帯端末３内の各構成要素に対して種々の制御を行う。制御部３５が実行する制御については、図６を参照して詳しく説明する。
【００３６】
読取り部３６は、例えばカメラなどの光学機器であり、商品に付されたバーコード７を読取り、読み取った情報を制御部３５に供給する。本実施形態では、制御部３５は、読取り部３６が出力する情報に基づき、商品に付されたバーコード７からＪＡＮコードなどの商品識別情報を取得する。
【００３７】
［購入商品リスト画面］
次に、購入商品リスト画面の表示に関する機能ブロック、処理フロー及び表示例について順に説明する。
【００３８】
（１）機能ブロック
図６は、購入商品リスト画面の表示に関する売価管理サーバ２及び携帯端末３の機能ブロック図である。図６に示すように、携帯端末３の制御部３５は、機能的には、商品識別情報取得部５５と、商品識別情報送信部５６と、表示制御部５７とを有する。
【００３９】
携帯端末３の商品識別情報取得部５５は、読取り部３６が取得したバーコード７の画像等から、当該バーコード７が付された商品の商品識別情報を取得する。この場合、商品識別情報送信部５６は、購入商品リスト変更要求「Ｓ１」を、通信部３４を介して売価管理サーバ２に送信する。この場合、購入商品リスト変更要求には、商品識別情報取得部５５が取得した商品識別情報と、購入商品の追加を指示する情報と、顧客識別情報と、が含まれる。
【００４０】
なお、商品識別情報送信部５６は、商品識別情報の取得後直ちに当該購入商品リスト変更要求Ｓ１を売価管理サーバ２に送信する代わりに、商品識別情報を取得した商品を購入商品とする旨のユーザ入力を検知した場合に、購入商品リスト変更要求Ｓ１を売価管理サーバ２に送信してもよい。この場合、例えば、表示部３１は、商品識別情報の取得後、当該商品識別情報が示す商品を購入商品リストに登録するか否かをユーザ入力により指定する画面を表示する。
【００４１】
また、商品識別情報送信部５６は、入力部３２により購入商品の個数の変更又は購入商品の削除を指定する入力があった場合、対象となる購入商品の商品識別情報と、対象となる購入商品の個数の変更又は削除を示す情報と、顧客識別情報とを含む購入商品リスト変更要求Ｓ１を売価管理サーバ２へ送信する。
【００４２】
表示制御部５７は、通信部３４を介して売価管理サーバ２から、更新した購入商品リスト画面を表示するための表示情報「Ｓ２」を受信した場合に、表示情報Ｓ２に基づき購入商品リスト画面を表示部３１に表示させる。
【００４３】
売価管理サーバ２の制御部２５は、機能的には、取得部５０と、第２受信部５１と、更新部５２と、判定部５３と、表示変更部５４とを有する。
【００４４】
取得部５０は、商品情報ＤＢ２８及び売価変更情報２７が最新の状態に保たれるのに必要な情報をＰＯＳサーバ１から受信し、売価変更情報２７及び商品情報ＤＢ２８の更新を行う。第２受信部５１は、通信部２４を介して携帯端末３から送信される購入商品リスト変更要求Ｓ１を受信する。そして、第２受信部５１は、受信した購入商品リスト変更要求Ｓ１を更新部５２に供給する。
【００４５】
更新部５２は、購入商品リスト変更要求Ｓ１に含まれる顧客識別情報に対応する購入商品リストを購入商品リストＤＢ２９から抽出し、当該購入商品リストを更新する。この場合、更新部５２は、購入商品リスト変更要求Ｓ１が購入商品リストへの追加を示す場合、購入商品リスト変更要求Ｓ１に含まれる商品識別情報が示す購入商品を、抽出した購入商品リストに追加する。また、更新部５２は、購入商品リスト変更要求Ｓ１が購入商品リストへの削除を示す場合、購入商品リスト変更要求Ｓ１に含まれる商品識別情報が示す購入商品を、抽出した購入商品リストから削除する。また、更新部５２は、購入商品リスト変更要求Ｓ１が購入商品リストへの個数の変更を示す場合、抽出した購入商品リストにおいて登録されている対象の購入商品の個数を、購入商品リスト変更要求Ｓ１が示す個数となるように変更する。そして、更新部５２は、更新した購入商品リストを判定部５３へ供給する。
【００４６】
判定部５３は、更新部５２から供給される購入商品リストと、売価変更情報２７とに基づき、対象の購入商品リストの購入商品に対する売価の変更要否の判定を行う。言い換えると、判定部５３は、更新部５２から供給される購入商品リストが示す、各購入商品の商品情報及び購入個数に基づき、売価変更情報２７が示すいずれかの売価変更条件に該当するか判定する。そして、判定部５３は、売価変更情報２７が示す売価変更条件のいずれかに該当する場合、該当した売価変更条件に関連付けられた割引率又は／及び値引額を、表示変更部５４に通知する。また、判定部５３は、売価変更情報２７に合計額割引（値引）情報等が含まれる場合、購入商品リストが示す合計額と合計額割引（値引）情報等が示す売価変更条件とを比較し、当該売価変更条件を満たす場合には、対応する割引率又は／及び値引額を、表示変更部５４に通知する。
【００４７】
表示変更部５４は、購入商品リスト画面の表示情報「Ｓ２」を携帯端末３に送信することで、携帯端末３が表示する購入商品リスト画面を変更させる。具体的には、表示変更部５４は、更新部５２が更新した購入商品リストと、商品情報ＤＢ２８から取得される各購入商品の価格情報と、判定部５３から通知された割引率又は／及び値引額とに基づき、購入商品リストの商品に対する売価を算出する。そして、表示変更部５４は、購入商品リストと、算出した売価とに基づき、携帯端末３に表示させるべき購入商品リスト画面の表示情報「Ｓ２」を生成する。このとき、表示変更部５４は、判定部５３から割引率又は／及び値引額が通知された場合には、割引率又は／及び値引額を反映した売価の情報を含む表示情報Ｓ２を生成する。そして、表示変更部５４は、生成した表示情報Ｓ２を、通信部２４を介して携帯端末３へ送信する。
【００４８】
（２）処理フロー
図７は、購入商品リスト画面の表示に関するフローチャートの一例である。図７は、一例として、商品のバーコード７から商品識別情報を読み取った場合の購入商品リスト画面の表示処理のフローチャートを示している。
【００４９】
まず、携帯端末３は、ユーザ操作に基づき読取り部３６を起動し、商品のバーコードから商品識別情報の読み取りを行う（ステップＳ１１）。なお、店８が複数店舗を有する企業の一店舗である場合、携帯端末３は、例えば、ユーザ操作に基づき、店８に入店時にお買い物カート等に取り付けられたバーコードの読み取りを行うことで、店８の識別情報を取得してもよい。又は、携帯端末３は、携帯端末３の位置情報に基づき、複数店舗の中から店８を自動で選択し、店８の識別情報を取得してもよい。この場合、携帯端末３は、店８の識別情報を顧客識別情報と共に売価管理サーバ２に送信する。そして、売価管理サーバ２は、携帯端末３のユーザが店８に入店したことを認識し、店８に対応する売価変更情報２７及び商品情報ＤＢ２８を参照することで、以後の処理を行う。
【００５０】
携帯端末３は、ステップＳ１１で読み取った商品識別情報を含む購入商品リスト変更要求Ｓ１を売価管理サーバ２へ送信する（ステップＳ１２）。
【００５１】
この場合、売価管理サーバ２は、携帯端末３が送信した購入商品リスト変更要求Ｓ１を受信する（ステップＳ２１）。そして、売価管理サーバ２は、購入商品リスト変更要求Ｓ１に含まれる顧客識別情報等を参照することで、該当する購入商品リストを購入商品リストＤＢ２９から取得し、購入商品リスト変更要求Ｓ１に基づき当該購入商品リストを更新する（ステップＳ２２）。具体的には、売価管理サーバ２は、対象の購入商品リストに購入商品リスト変更要求Ｓ１に含まれる商品識別情報が示す商品を追加し、更新後の購入商品リストを購入商品リストＤＢ２９に記憶する。なお、売価管理サーバ２は、該当する購入商品リストが存在しない場合には、購入商品リスト変更要求Ｓ１に含まれる顧客識別情報と関連付けた購入商品リストを新たに生成して購入商品リストＤＢ２９に記憶する。
【００５２】
そして、売価管理サーバ２は、ステップＳ２２で更新した購入商品リストが、売価変更情報２７が示すいずれかの売価変更条件に該当するか否か判定する（ステップＳ２３）。そして、売価管理サーバ２は、更新後の購入商品リストが、売価変更情報２７が示すいずれかの売価変更条件に該当する場合（ステップＳ２３；Ｙｅｓ）、該当した売価変更条件に関連付けられた割引又は値引による売価変更を反映した購入商品リスト画面の表示情報Ｓ２を生成する（ステップＳ２４）。一方、売価管理サーバ２は、購入商品リストが示す購入商品の組合せが、売価変更情報２７が示すいずれの売価変更条件にも該当しない場合（ステップＳ２３；Ｎｏ）、売価変更を考慮しない購入商品リスト画面の表示情報Ｓ２を生成する（ステップＳ２５）。
【００５３】
そして、売価管理サーバ２は、ステップＳ２４又はステップＳ２５で生成した表示情報Ｓ２を購入商品リスト変更要求Ｓ１の送信元である携帯端末３に送信する（ステップＳ２６）。この場合、ステップＳ１２で購入商品リスト変更要求Ｓ１を送信した携帯端末３は、売価管理サーバ２から表示情報Ｓ２を受信する（ステップＳ１３）。そして、携帯端末３は、受信した表示情報Ｓ２に基づき、購入商品リスト画面を表示する（ステップＳ１４）。
【００５４】
（３）表示例
次に、購入商品リスト画面の表示例について、図８〜図１１を参照して説明する。
【００５５】
図８は、購入商品リストが示す購入商品の組み合わせがいずれの売価変更条件にも該当しない場合の購入商品リスト画面の表示例である。図８の例では、携帯端末３は、売価管理サーバ２から送信される購入商品リスト変更要求Ｓ１に基づき、商品読取ボタン４０と、購入商品リスト表示欄４１と、小計表示欄４２と、合計額表示欄４３と、ホーム画面遷移ボタン４４と、支払（精算）画面遷移ボタン４５と、取引中止ボタン４６とを有する。
【００５６】
携帯端末３は、商品読取ボタン４０がタップ操作等により選択されたことを検知した場合、商品読取画面へ表示部３１の表示を切り替える。商品読取画面では、携帯端末３は、起動した読取り部３６から取得される画像等を表示する。これにより、携帯端末３のユーザは、バーコード７が読取り部３６の読み取り範囲内に位置するように商品又は携帯端末３を移動させる。
【００５７】
また、携帯端末３は、購入商品リスト表示欄４１には、購入商品毎に、購入商品の名称、個数、価格を表示している。また、携帯端末３は、購入商品リスト表示欄４１内の各購入商品に対し、個数デクリメントボタン４７と、個数インクリメントボタン４８とを表示している。そして、携帯端末３は、個数デクリメントボタン４７又は個数インクリメントボタン４８により購入商品の個数の変更を受け付けた場合、例えば、個数が変更された購入商品の商品識別情報及び変更後の個数の情報を含む商品リスト変更要求Ｓ１を売価管理サーバ２に送信する。
【００５８】
また、携帯端末３は、小計表示欄４２に、購入商品リストの全商品に対する売価の税抜きの小計を表示し、合計額表示欄４３には、購入商品リストの全商品に対する売価の税込みの合計額を表示する。売価管理サーバ２は、これらの小計又は合計額を、商品情報ＤＢ２８に登録された購入商品の価格に基づき算出している。
【００５９】
また、携帯端末３は、ホーム画面遷移ボタン４４が選択されたことを検知した場合、ホーム画面の表示要求を売価管理サーバ２に送信し、その応答として受信する表示情報に基づき所定のホーム画面を表示する。ホーム画面は、店８での割引や値引の情報、携帯端末３の顧客の登録情報等を表示するものであってもよい。
【００６０】
また、携帯端末３は、支払い画面遷移ボタン４５が選択されたことを検知した場合、支払い画面の表示要求を売価管理サーバ２に送信し、その応答として受信する表示情報に基づき所定の支払い画面を表示する。支払い画面は、例えば購入商品の合計数及び合計額等を確認する表示と、支払い（精算）方法を指定するためのボタンや入力欄などの表示とを含む。なお、クレジットカードや電子マネーなどの支払いが選択された場合、携帯端末３は、電子商取引に基づく決済処理に必要なデータの授受を売価管理サーバ２等と行い、精算を完了させる。
【００６１】
また、現金の支払いが選択された場合、携帯端末３は、例えば精算機５が読取り可能なバーコードを表示し、バーコードを精算機５に読み取らせることで精算を行う。この場合、精算機５は、上述のバーコードを読み取ることで購入対象となる購入商品及び個数等を認識し、携帯端末３のユーザが支払うべき合計額を算出する。なお、この場合、精算機５が算出する合計額は、合計額表示欄４３に表示される合計額と等しくなる。
【００６２】
また、携帯端末３は、取引中止ボタン４６が選択されたことを検知した場合、取引中止を通知する情報を売価管理サーバ２に送信する。この場合、売価管理サーバ２は、携帯端末３に対応する顧客識別情報の購入商品リストを削除する。
【００６３】
図９は、図８に示す状態から商品「パン」が購入商品として追加された場合の購入商品リスト画面の表示例である。この例では、携帯端末３は、図８において商品読取ボタン４０が選択され、商品「パン」に付されたバーコード７を読み取ることで商品「パン」を登録している。
【００６４】
この場合、売価管理サーバ２は、売価変更情報２７が示す売価変更条件として、牛乳とパンの同時購入が存在し、この売価変更条件に対して５０円の値引が関連付けられている。そして、この場合、売価管理サーバ２は、購入商品として購入商品リスト表示欄４１にパンの項目を追加すると共に、牛乳とパンの同時購入に基づく５０円の値引の項目を設けている。また、売価管理サーバ２は、上述の５０円の値引を反映した小計と合計額をそれぞれ算出し、小計表示欄４２及び合計額表示欄４３にそれぞれ表示させる。
【００６５】
このように、売価管理サーバ２は、購入商品が追加されることにより売価変更情報２７に基づく割引又は値引が発生した場合に、その後に表示させる購入商品リスト画面において、割引又は値引を反映させた合計額を携帯端末３に即時に表示させる。これにより、売価管理サーバ２は、現時点における正確な売価を携帯端末３のユーザに認識させることができる。また、売価管理サーバ２は、売価の変更が生じた額（図９の例では−５０円）を購入商品リスト画面上で明示することで、値引又は割引の存在を好適に携帯端末３の顧客に認識させることができる。
【００６６】
なお、バーコード７の読取り後、バーコード読取り画面から購入商品リスト画面へ遷移せずにホーム画面などの購入商品リスト画面以外の画面へ遷移する仕様である場合、売価管理サーバ２は、購入商品リスト画面の表示要求を携帯端末３から受信した時点において上述の割引又は値引の算出を行ってもよい。即ち、売価管理サーバ２は、図７のステップＳ２３及びそれ以後の処理を、購入商品リスト画面の表示要求を携帯端末３から受信した時点で実行してもよい。
【００６７】
図１０は、図８に示す状態から商品「パン」が購入商品として追加された場合の購入商品リスト画面の第２の表示例である。この例では、売価変更情報２７には、牛乳とパンの同時購入で５０円値引というセット値引情報に加え、合計額が３０００円以上で５％割引という合計額割引情報がさらに含まれているものとする。
【００６８】
この場合、売価管理サーバ２は、図９の表示例と同様に、牛乳とパンの同時購入に基づく５０円の値引を購入商品リスト表示欄４１、小計表示欄４２及び合計額表示欄４３での表示にそれぞれ反映させる。また、売価管理サーバ２は、合計額割引情報の価格変更条件（合計額３０００円以上）に所定額以内に近づいたことから、合計額が３０００円以上で５％割引という合計額割引情報の存在を購入商品リスト画面上で明示している。ここでは、売価管理サーバ２は、合計額割引情報の価格変更条件を満たすのに必要な合計額の基準額（ここでは３０００円）と現時点での購入商品リストの商品に対する売価（ここでは２９５７円）との差額（４３円）を明示している。このように、売価管理サーバ２は、価格変更条件に近づいた場合、当該価格変更条件及び当該価格変更条件を満たすのに必要な条件を購入商品リスト画面上に表示してもよい。なお、価格変更条件に近づいた場合とは、例えば、基準の合計額まで所定金額以内に近づいた場合、又はあと１個特定の商品を購入商品として追加することで価格変更条件が満たされる場合などが該当する。
【００６９】
このように、図１０の例によれば、携帯端末３のユーザは、精算前に購入商品リスト画面において正確な売価を把握することができ、かつ、合計額に応じた割引又は値引が存在する場合に、割引又は値引を受けるのに必要な差額を好適に把握することができる。
【００７０】
［変形例］
次に、本実施形態に好適な変形例について説明する。以下の変形例は任意に組み合わせて上述の実施形態に適用されてもよい。
【００７１】
（変形例１）
売価管理サーバ２は、売価変更情報２７に基づく割引又は値引が生じる購入商品の追加が発生した場合、即時に購入商品リスト画面に売価変更情報２７に基づく割引又は値引を反映させた。これに代えて、売価管理サーバ２は、購入商品リスト画面への売価変更情報２７に基づく割引又は値引への反映を指示する携帯端末３への所定の入力を検知した場合に、売価変更情報２７に基づく割引又は値引を購入商品リスト画面に反映させてもよい。
【００７２】
図１１は、変形例１における購入商品リスト画面の表示例である。図１１に示す購入商品リスト画面は、売価変更情報２７に基づく割引又は値引を購入商品リスト画面に反映させるためのユーザインタフェースであるディスカウント反映ボタン４９を有している。
【００７３】
このように、図１１の例では、ディスカウント反映ボタン４９の選択前では、売価管理サーバ２は、売価変更情報２７に基づく割引又は値引を考慮せずに生成した表示情報Ｓ２を携帯端末３に送信する。これにより、売価管理サーバ２は、売価変更情報２７に基づく割引又は値引が反映されていない購入商品リスト画面を携帯端末３に表示させる。この場合、売価管理サーバ２の判定部５３（図６参照）は割引又は値引の判定処理を実行せず、表示変更部５４は、更新部５２が更新した購入商品リストと商品情報ＤＢ２８に含まれる価格情報等に基づき、表示情報Ｓ２を生成する。
【００７４】
図１２は、図１１においてユーザがディスカウント反映ボタン４９をタップした直後の購入商品リスト画面の表示例を示す。図１２に示すように、この場合、携帯端末３は、売価管理サーバ２から受信した表示情報Ｓ２に基づき、購入商品リスト表示欄４１、小計表示欄４２、合計額表示欄４３を、それぞれ図９の購入商品リスト表示欄４１、小計表示欄４２、合計額表示欄４３と同一表示になるように購入商品リスト画面を更新している。
【００７５】
具体的には、携帯端末３は、ディスカウント反映ボタン４９の選択を検知した場合、売価変更情報２７に基づく割引又は値引の購入商品リスト画面への反映要求を売価管理サーバ２に送信する。そして、売価管理サーバ２（詳しくは図６の判定部５３）は、上述の反映要求を通信部２４が受信した場合、送信元の携帯端末３に対応する購入商品リストと、当該購入商品リストに含まれる商品の商品情報とに基づき、売価変更情報２７に基づく割引又は値引の有無を判定する。そして、判定部５３は、この場合、売価変更情報２７が示す売価変更条件として、牛乳とパンの同時購入が存在することから、この売価変更条件に対する５０円の値引を認識し、５０円の値引を表示変更部５４に通知する。そして、表示変更部５４は、通知された５０円の値引を反映するための表示情報Ｓ２を携帯端末３へ送信する。この場合、携帯端末３の表示制御部５７は、受信した表示情報Ｓ２に基づき購入商品リスト画面を更新する。
【００７６】
本変形例によれば、携帯端末３は、ユーザが指定した任意のタイミングにより、精算前において購入商品リスト画面に売価変更情報２７に基づく値引又は割引を反映させることができ、ユーザに割引又は値引の存在を精算前に好適に認識させることができる。
【００７７】
（変形例２）
売価変更情報１７及び売価変更情報２７は、会員である場合に付与される割引又は値引を示す会員割引情報又は会員値引情報、又は／及び、会員のランクに応じて付与される割引又は値引を示す会員ランク割引情報又は会員ランク値引情報をさらに有してもよい。
【００７８】
図１３は、変形例２における売価管理システム１００Ａの構成例である。売価管理システム１００Ａは、会員情報を記憶する会員サーバ４を有している。会員サーバ４は、ネットワーク等を介して売価管理サーバ２と通信が可能である。売価管理サーバ２は、携帯端末３を有する顧客が店８に入店した場合に、携帯端末３から送信される顧客識別情報等に基づき会員サーバ４に問い合わせを行うことで、対象の携帯端末３の顧客が会員であるか否か、又は／及び、対象の携帯端末３の顧客の会員のランク（グレード）を認識する。そして、売価管理サーバ２の判定部５３は、認識した会員登録の有無又は認識した会員ランクに基づき、会員ランク割引情報又は会員ランク値引情報を参照することで、割引又は値引の有無を判定する。この例によれば、売価管理サーバ２は、会員に関する売価変更情報２７に基づく値引又は割引についても、購入商品リスト画面に好適に反映させることができる。
【００７９】
他の例では、売価変更情報１７及び売価変更情報２７は、月別合計額割引情報又は月別合計額値引情報を有してもよい。この場合、月別合計額割引情報は、月毎の店８（又は店８を含む系列店舗）での購入額が所定金額以上の場合に生じる割引の情報であり、例えば、割引の対象となる合計額と割引率とが関連付けられている。月別合計額値引情報は、月別合計額割引情報に対応する値引情報である。また、この場合、ＰＯＳサーバ１は、顧客毎の過去の店８又は店８を含む系列店舗での買い物に対する購入履歴情報を記憶しており、売価管理サーバ２は、ＰＯＳサーバ１からこの購入履歴情報を定期又は不定期により同期を行うことで顧客毎の購入履歴情報を記憶する。そして、売価管理サーバ２の判定部５３は、購入履歴情報と、商品情報ＤＢ２８と、購入商品リストＤＢ２９とを参照することで、過去の買い物における購入金額と現在の買い物における合計額とを合算し、月別合計額割引情報又は月別合計額値引情報が示す価格変更条件を満たすか否か判定する。この例によれば、売価管理サーバ２は、月別合計額割引情報又は月別合計額値引情報に基づく値引又は割引についても購入商品リスト画面に好適に反映させることができる。
【００８０】
（変形例３）
ＰＯＳサーバ１と、売価管理サーバ２とは、１つのサーバ装置により構成されてもよい。この場合、例えば、売価管理サーバ２は、ＰＯＳサーバ１が記憶するデータを、携帯端末３から直接アクセスできない態様により記憶する。例えば、この場合、売価管理サーバ２は、実施形態において説明した売価変更情報１７、商品情報ＤＢ１８、売上情報１９等のデータを、携帯端末３から直接アクセスできない第１のメモリに記憶する。また、売価管理サーバ２は、実施形態において説明した売価変更情報２７、商品情報ＤＢ２８、購入商品リスト２９を、携帯端末３からアクセス可能な第２のメモリに記憶する。そして、売価管理サーバ２は、第１のメモリを参照し、第２のメモリに記憶した売価変更情報２７及び商品情報ＤＢ２８等の更新を、定期又は不定期に実行する。
【００８１】
その他、上記の各実施形態（変形例を含む、以下同じ）の一部又は全部は、以下の付記のようにも記載され得るが以下には限られない。
【００８２】
［付記１］
売価の変更に関する売価変更情報を取得する取得部と、
顧客が使用する携帯端末から前記顧客が入店した店において購入予定の商品を示す商品識別情報を受信する受信部と、
前記売価変更情報と、前記商品のリストである購入商品リストとに基づき、前記購入商品リストの商品に対する売価の変更要否を判定する判定部と、
前記売価の変更が必要な場合に、前記携帯端末が表示する前記購入商品リストの商品に対する売価の表示を変更させる表示変更部と、
を有する売価管理サーバ。
【００８３】
［付記２］
前記商品識別情報に基づき、前記商品のリストである購入商品リストを生成又は更新する更新部をさらに備える、付記１に記載の売価管理サーバ。
【００８４】
［付記３］
前記表示変更部は、前記購入商品リストの更新があった場合であって、前記売価の変更が必要な場合に、当該売価の変更を、遅くとも、前記顧客が前記店において精算を行う前に、前記売価の表示に反映させる、付記２に記載の売価管理サーバ。
【００８５】
［付記４］
前記表示変更部は、前記購入商品リストの更新があった場合であって、前記売価の変更が必要な場合に、当該売価の変更を、前記売価の表示に即時に反映させる、付記３に記載の売価管理サーバ。
【００８６】
［付記５］
前記表示変更部は、前記購入商品リストの更新があった場合であって、前記売価の変更が必要な場合に、当該売価の変更を、前記携帯端末への所定の入力を検知した場合に、前記売価の表示に反映させる、付記３に記載の売価管理サーバ。
【００８７】
［付記６］
前記売価変更情報は、商品の数を条件とした値引又は割引、商品の組み合わせを条件とした値引又は割引、合計額を条件とした値引又は割引、特定の種類の商品に対する値引又は割引、前記顧客が会員であるか否か又は当該会員のランクを条件とした値引又は割引の少なくともいずれか一つを示す、付記１〜５のいずれか一項に記載の売価管理サーバ。
【００８８】
［付記７］
前記表示変更部は、前記購入商品リストの更新があった場合であって、前記売価の変更が必要な場合に、当該売価の変更が生じた額を前記携帯端末に表示させる、付記１〜６のいずれか一項に記載の売価管理サーバ。
【００８９】
［付記８］
前記売価変更情報は、合計額を条件とした値引又は割引に関する情報を含み、
前記表示変更部は、前記値引又は割引が適用されるまでに必要な合計額と前記購入商品リストの商品に対する売価との差額を前記携帯端末に表示させる、付記１〜７のいずれか一項に記載の売価管理サーバ。
【００９０】
［付記９］
顧客が使用する携帯端末と、
前記顧客が入店した店において購入予定の商品のリストである購入商品リストの売価を管理する売価管理サーバと、を有する売価管理システムであって、
前記携帯端末は、
前記顧客が入店した店において購入予定の商品を示す商品識別情報を取得する商品識別情報取得部と、
前記商品識別情報を前記売価管理サーバへ送信する商品識別情報送信部と、
前記売価管理サーバから受信する表示情報に基づき表示部の表示を更新する表示制御部と、を有し、
前記売価管理サーバは、
売価の変更に関する売価変更情報を取得する取得部と、
前記携帯端末から前記商品識別情報を受信する受信部と、
前記売価変更情報と、前記購入商品リストとに基づき、前記購入商品リストの商品に対する売価の変更要否を判定する判定部と、
前記売価の変更が必要な場合に、前記携帯端末が表示する前記購入商品リストの商品に対する売価の表示を変更させるための前記表示情報を前記携帯端末に送信する表示変更部と、
を有する売価管理システム。
【００９１】
［付記１０］
売価管理サーバが実行する制御方法であって、
売価の変更に関する売価変更情報を取得し、
顧客が使用する携帯端末から前記顧客が入店した店において購入予定の商品を示す商品識別情報を受信し、
前記売価変更情報と、前記商品のリストである購入商品リストとに基づき、前記購入商品リストの商品に対する売価の変更要否を判定し、
前記売価の変更が必要な場合に、前記携帯端末が表示する前記購入商品リストの商品に対する売価の表示を変更させる、制御方法。
【００９２】
［付記１１］
コンピュータが実行するプログラムであって、
売価の変更に関する売価変更情報を取得する取得部と、
顧客が使用する携帯端末から前記顧客が入店した店において購入予定の商品を示す商品識別情報を受信する受信部と、
前記売価変更情報と、前記商品のリストである購入商品リストとに基づき、前記購入商品リストの商品に対する売価の変更要否を判定する判定部と、
前記売価の変更が必要な場合に、前記携帯端末が表示する前記購入商品リストの商品に対する売価の表示を変更させる表示変更部
として前記コンピュータを機能させる、プログラム。
【００９３】
以上、実施形態を参照して本願発明を説明したが、本願発明は上記実施形態に限定されるものではない。本願発明の構成や詳細には、本願発明のスコープ内で当業者が理解し得る様々な変更をすることができる。すなわち、本願発明は、請求の範囲を含む全開示、技術的思想にしたがって当業者であればなし得るであろう各種変形、修正を含むことは勿論である。また、引用した上記の特許文献等の各開示は、本書に引用をもって繰り込むものとする。
【符号の説明】
【００９４】
１  ＰＯＳサーバ
２  売価管理サーバ
３  携帯端末
４  会員サーバ
５  精算機
１００、１００Ａ  売価管理システム
【図１】
2020174881.tif 000003
【図２】
2020174881.tif 000004
【図３】
2020174881.tif 000005
【図４】
2020174881.tif 000006
【図５】
2020174881.tif 000007
【図６】
2020174881.tif 000008
【図７】
2020174881.tif 000009
【図８】
2020174881.tif 000010
【図９】
2020174881.tif 000011
【図１０】
2020174881.tif 000012
【図１１】
2020174881.tif 000013
【図１２】
2020174881.tif 000014
【図１３】
2020174881.tif 000015
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
売価の変更に関する売価変更情報を取得する取得手段と、
顧客が使用する携帯端末から前記顧客が入店した店において購入予定の商品を示す商品識別情報を受信する受信手段と、
前記売価変更情報と、前記商品のリストである購入商品リストとに基づき、前記購入商品リストの商品に対する売価の変更要否を判定する判定手段と、
前記売価の変更が必要な場合に、前記携帯端末が表示する前記購入商品リストの商品に対する売価の表示を変更させる表示変更手段と、
を有する売価管理サーバ。
【請求項２】
前記商品識別情報に基づき、前記商品のリストである購入商品リストを生成又は更新する更新手段をさらに備える、請求項１に記載の売価管理サーバ。
【請求項３】
前記表示変更手段は、前記購入商品リストの更新があった場合であって、前記売価の変更が必要な場合に、当該売価の変更を、遅くとも、前記顧客が前記店において精算を行う前に、前記売価の表示に反映させる、請求項２に記載の売価管理サーバ。
【請求項４】
前記表示変更手段は、前記購入商品リストの更新があった場合であって、前記売価の変更が必要な場合に、当該売価の変更を、前記売価の表示に即時に反映させる、請求項３に記載の売価管理サーバ。
【請求項５】
前記表示変更手段は、前記購入商品リストの更新があった場合であって、前記売価の変更が必要な場合に、当該売価の変更を、前記携帯端末への所定の入力を検知した場合に、前記売価の表示に反映させる、請求項３に記載の売価管理サーバ。
【請求項６】
前記売価変更情報は、商品の数を条件とした値引又は割引、商品の組み合わせを条件とした値引又は割引、合計額を条件とした値引又は割引、特定の種類の商品に対する値引又は割引、前記顧客が会員であるか否か又は当該会員のランクを条件とした値引又は割引の少なくともいずれか一つを示す、請求項１〜５のいずれか一項に記載の売価管理サーバ。
【請求項７】
前記表示変更手段は、前記購入商品リストの更新があった場合であって、前記売価の変更が必要な場合に、当該売価の変更が生じた額を前記携帯端末に表示させる、請求項１〜６のいずれか一項に記載の売価管理サーバ。
【請求項８】
前記売価変更情報は、合計額を条件とした値引又は割引に関する情報を含み、
前記表示変更手段は、前記値引又は割引が適用されるまでに必要な合計額と前記購入商品リストの商品に対する売価との差額を前記携帯端末に表示させる、請求項１〜７のいずれか一項に記載の売価管理サーバ。
【請求項９】
顧客が使用する携帯端末と、
前記顧客が入店した店において購入予定の商品のリストである購入商品リストの売価を管理する売価管理サーバと、を有する売価管理システムであって、
前記携帯端末は、
前記顧客が入店した店において購入予定の商品を示す商品識別情報を取得する商品識別情報取得手段と、
前記商品識別情報を前記売価管理サーバへ送信する商品識別情報送信手段と、
前記売価管理サーバから受信する表示情報に基づき表示部の表示を更新する表示制御手段と、を有し、
前記売価管理サーバは、
売価の変更に関する売価変更情報を取得する取得手段と、
前記携帯端末から前記商品識別情報を受信する受信手段と、
前記売価変更情報と、前記購入商品リストとに基づき、前記購入商品リストの商品に対する売価の変更要否を判定する判定手段と、
前記売価の変更が必要な場合に、前記携帯端末が表示する前記購入商品リストの商品に対する売価の表示を変更させるための前記表示情報を前記携帯端末に送信する表示変更手段と、
を有する売価管理システム。
【請求項１０】
売価管理サーバが実行する制御方法であって、
売価の変更に関する売価変更情報を取得し、
顧客が使用する携帯端末から前記顧客が入店した店において購入予定の商品を示す商品識別情報を受信し、
前記売価変更情報と、前記商品のリストである購入商品リストとに基づき、前記購入商品リストの商品に対する売価の変更要否を判定し、
前記売価の変更が必要な場合に、前記携帯端末が表示する前記購入商品リストの商品に対する売価の表示を変更させる、制御方法。
【請求項１１】
コンピュータが実行するプログラムであって、
売価の変更に関する売価変更情報を取得する取得手段と、
顧客が使用する携帯端末から前記顧客が入店した店において購入予定の商品を示す商品識別情報を受信する受信手段と、
前記売価変更情報と、前記商品のリストである購入商品リストとに基づき、前記購入商品リストの商品に対する売価の変更要否を判定する判定手段と、
前記売価の変更が必要な場合に、前記携帯端末が表示する前記購入商品リストの商品に対する売価の表示を変更させる表示変更手段
として前記コンピュータを機能させるプログラム。
【手続補正２】
【補正対象書類名】明細書
【補正対象項目名】０００６
【補正方法】変更
【補正の内容】
【０００６】
売価管理装置の一の態様は、売価管理サーバであって、売価の変更に関する売価変更情報を取得する取得手段と、顧客が使用する携帯端末から前記顧客が入店した店において購入予定の商品を示す商品識別情報を受信する受信手段と、前記売価変更情報と、前記商品のリストである購入商品リストとに基づき、前記購入商品リストの商品に対する売価の変更要否を判定する判定手段と、前記売価の変更が必要な場合に、前記携帯端末が表示する前記購入商品リストの商品に対する売価の表示を変更させる表示変更手段と、を有する。
【手続補正３】
【補正対象書類名】明細書
【補正対象項目名】０００７
【補正方法】変更
【補正の内容】
【０００７】
売価管理システムの一の態様は、顧客が使用する携帯端末と、前記顧客が入店した店において購入予定の商品のリストである購入商品リストの売価を管理する売価管理サーバと、を有する売価管理システムであって、前記携帯端末は、前記顧客が入店した店において購入予定の商品を示す商品識別情報を取得する商品識別情報取得手段と、前記商品識別情報を前記売価管理サーバへ送信する商品識別情報送信手段と、前記売価管理サーバから受信する表示情報に基づき表示部の表示を更新する表示制御手段と、を有し、前記売価管理サーバは、売価の変更に関する売価変更情報を取得する取得手段と、前記携帯端末から前記商品識別情報を受信する受信手段と、前記売価変更情報と、前記購入商品リストとに基づき、前記購入商品リストの商品に対する売価の変更要否を判定する判定手段と、前記売価の変更が必要な場合に、前記携帯端末が表示する前記購入商品リストの商品に対する売価の表示を変更させるための前記表示情報を前記携帯端末に送信する表示変更手段と、を有する。
【手続補正４】
【補正対象書類名】明細書
【補正対象項目名】０００９
【補正方法】変更
【補正の内容】
【０００９】
プログラムの一の態様は、コンピュータが実行するプログラムであって、売価の変更に関する売価変更情報を取得する取得手段と、顧客が使用する携帯端末から前記顧客が入店した店において購入予定の商品を示す商品識別情報を受信する受信手段と、前記売価変更情報と、前記商品のリストである購入商品リストとに基づき、前記購入商品リストの商品に対する売価の変更要否を判定する判定手段と、前記売価の変更が必要な場合に、前記携帯端末が表示する前記購入商品リストの商品に対する売価の表示を変更させる表示変更手段として前記コンピュータを機能させる。
【国際調査報告】
2020174881.tif 000016
2020174881.tif 000017
2020174881.tif 000018
2020174881.tif 000019